【手続補正書】
【提出日】平成15年12月5日(2003.12.5)
【手続補正１】
【補正対象書類名】明細書
【補正対象項目名】発明の名称
【補正方法】変更
【補正の内容】
【発明の名称】受信装置及び受信方法
【手続補正２】
【補正対象書類名】明細書
【補正対象項目名】特許請求の範囲
【補正方法】変更
【補正の内容】
【特許請求の範囲】
【請求項１】
複数の周波数帯域から所望の無線周波数帯の無線信号を受信して検波処理する受信装置であって、
上記所望の無線周波数帯の受信信号を所定の増幅利得で高周波増幅処理し高周波信号を出力する高周波増幅回路と、
上記伝送された高周波信号から所望の受信帯域信号を検波処理するとともに、上記受信信号を自動利得制御して所定の検波レベルを得るための自動利得制御信号を出力するチューナ回路とを備え、
上記チューナ回路は、上記複数の周波数帯域にそれぞれ対応する複数の特性を有する自動利得制御信号を記憶して、受信対象の無線周波数帯に応じて自動利得制御信号を切り換えて出力し、
上記高周波増幅回路は、上記自動利得制御信号に基づいて上記受信信号を高周波増幅処理することを特徴とする受信装置。
【請求項２】
上記高周波増幅回路を有する受信アンテナ部と、上記チューナ回路を有する受信部とが別体に分離された構成とされ、
上記受信アンテナ部−受信部間に施設され、上記高周波信号と上記自動利得制御信号とを伝送する伝送路を更に備えることを特徴とする、請求項１に記載の受信装置。
【請求項３】
上記受信部は、上記高周波信号に上記自動利得制御信号を重畳して送出し、
上記受信アンテナ部は、上記高周波信号を上記伝送路に送出するとともに、上記伝送路から上記自動利得制御信号を抽出して上記高周波増幅回路に帰還させる信号分離回路を更に備える構成とされたことを特徴とする、請求項２に記載の受信装置。
【請求項４】
上記自動利得制御信号に基づいて所定電圧の駆動信号を出力し上記高周波増幅回路を駆動する電圧回路を更に備える構成とされたことを特徴とする、請求項１乃至３の何れかに記載の受信装置。
【請求項５】
複数の周波数帯域から所望の無線周波数帯の無線信号を受信して検波処理する受信方法であって、
上記所望の無線周波数帯の受信信号を所定の増幅利得で高周波増幅処理し高周波信号を出力する高周波増幅ステップと、
上記伝送された高周波信号から所望の受信帯域信号を検波処理する検波ステップと、
上記受信信号を自動利得制御して所定の検波レベルを得るための自動利得制御信号を出力する利得制御ステップとを有し、
上記利得制御ステップは、上記複数の周波数帯域にそれぞれ対応する複数の特性を有する自動利得制御信号を記憶して、受信対象の無線周波数帯に応じて自動利得制御信号を切り換えて出力し、
上記高周波増幅ステップは、上記自動利得制御信号に基づいて上記受信信号を高周波増幅処理することを特徴とする受信方法。
【手続補正３】
【補正対象書類名】明細書
【補正対象項目名】０００１
【補正方法】変更
【補正の内容】
【０００１】
【発明の属する技術分野】
本発明は複数の異なる周波数帯を受信可能な特に高周波用の受信装置及び受信方法の改良に関する。


【手続補正４】
【補正対象書類名】明細書
【補正対象項目名】０００３
【補正方法】変更
【補正の内容】
【０００３】
ところで、日本国の地上波テレビ放送周波数は、ＶＨＦローチャンネル（９０ＭＨｚ〜１０８ＭＨｚ）、ＶＨＦハイチャンネル（１７０ＭＨｚ〜２２２ＭＨｚ）およびＵＨＦチャンネル（４７０ＭＨｚ〜７７０ＭＨｚ）という異なる周波数帯域で放送されている。また、近年、ヨーロッパで開始されたデジタル・オーディオ放送ＤＡＢ（Digital Audio Broadcasting）においても、例えば１７０ＭＨｚ〜２４０ＭＨｚ付近および１４５０ＭＨｚ〜１５００ＭＨｚ付近というような異なる周波数帯域で放送されている。


【手続補正５】
【補正対象書類名】明細書
【補正対象項目名】０００５
【補正方法】変更
【補正の内容】
【０００５】
【発明が解決しようとする課題】
しかし、上述のような構成は受信アンテナに伝達される電界強度が比較的弱い場合には有効であるが、送信所の近く等の強電界領域では高周波増幅器が非線形歪みを発生し、受信状態を悪化させることがある。特に、放送波の変調に多搬送波変調方式の一種であるＯＦＤＭ変調方式（Orthogonal Frequency Division Multiplexing、直交周波数分割多重）を使用しているデジタル音声放送ＤＡＢ受信機では、多搬送波であるがゆえに、伝送路に非線形特性があると相互変調による特性劣化が生じて、受信不能となる問題がある。


【手続補正６】
【補正対象書類名】明細書
【補正対象項目名】０００９
【補正方法】変更
【補正の内容】
【０００９】
【課題を解決するための手段】
本発明の受信装置は、複数の周波数帯域から所望の無線周波数帯の無線信号を受信して検波処理する受信装置であって、所望の無線周波数帯の受信信号を所定の増幅利得で高周波増幅処理し高周波信号を出力する高周波増幅回路と、伝送された高周波信号から所望の受信帯域信号を検波処理するとともに、受信信号を自動利得制御して所定の検波レベルを得るための自動利得制御信号を出力するチューナ回路とを備え、チューナ回路は、複数の周波数帯域にそれぞれ対応する複数の特性を有する自動利得制御信号を記憶して、受信対象の無線周波数帯に応じて自動利得制御信号を切り換えて出力し、高周波増幅回路は、自動利得制御信号に基づいて受信信号を高周波増幅処理する様に成したものである。
本発明の受信方法は複数の周波数帯域から所望の無線周波数帯の無線信号を受信して検波処理する受信方法であって、所望の無線周波数帯の受信信号を所定の増幅利得で高周波増幅処理し高周波信号を出力する高周波増幅ステップと、伝送された高周波信号から所望の受信帯域信号を検波処理する検波ステップと、受信信号を自動利得制御して所定の検波レベルを得るための自動利得制御信号を出力する利得制御ステップとを有し、利得制御ステップは、複数の周波数帯域にそれぞれ対応する複数の特性を有する自動利得制御信号を記憶して、受信対象の無線周波数帯に応じて自動利得制御信号を切り換えて出力し、高周波増幅ステップは、自動利得制御信号に基づいて受信信号を高周波増幅処理する様に成したものである。
【手続補正７】
【補正対象書類名】明細書
【補正対象項目名】００１０
【補正方法】変更
【補正の内容】
【００１０】
上述の受信装置では受信選局バンド及び受信電界強度に応じて、異なる電圧は伝送路を介して受信アンテナの直下に配設した高周波増幅回路へ供給する様になしたので受信アンテナの高周波利得を受信選局バンド並びに受信電界強度に応じて変化させることで安定に受信可能な受信装置が得られる。


【手続補正８】
【補正対象書類名】明細書
【補正対象項目名】００１２
【補正方法】変更
【補正の内容】
【００１２】
図１は本発明の受信装置及び受信方法の系統図、図２は本発明の説明に供するアンテナ利得制御電圧対電界強度特性曲線図を示すものである。


【手続補正９】
【補正対象書類名】明細書
【補正対象項目名】００１４
【補正方法】変更
【補正の内容】
【００１４】
図１で、受信アンテナ１で受信された受信電波は高周波増幅回路５に供給され、高周波増幅回路５で増幅或は減衰された高周波信号の直流分を阻止し、交流分を通過させる濾波器で構成された第１の信号分離回路１１によって高周波信号のみを通過させて、同軸ケーブル２の如き伝送路を介して受信部１７内に配設された直流分を阻止し、交流分を通過させる濾波器で構成された第２の信号分離回路１２に供給される。


【手続補正１０】
【補正対象書類名】明細書
【補正対象項目名】００２５
【補正方法】変更
【補正の内容】
【００２５】
図２に示したアンテナ利得制御電圧ＥAGC の場合、電界強度が弱い場合はアンテナ利得制御電圧ＥAGC の電圧値を高くし、高周波増幅回路５の利得を上げ、電界強度が強い時はアンテナ利得制御電圧を低くして高周波増幅回路５の利得を下げる様に動作させたリバースＡＧＣを用いているが、これと逆動作のフォーアドＡＧＣとすることも出来る。


【手続補正１１】
【補正対象書類名】明細書
【補正対象項目名】００２７
【補正方法】変更
【補正の内容】
【００２７】
上述の動作によって、受信装置１９のアンテナ部２３内に配設した高周波増幅回路５は受信アンテナ１が受信している電界強度に応じて、チューナ回路２２からのＡＧＣ電圧が変化し、加算信号としてのアンテナ利得制御電圧ＥAGC も変化するため夫々の電圧値Ｖ1 及びＶ2 も電界強度に応じて変化することに成る。


【手続補正１２】
【補正対象書類名】明細書
【補正対象項目名】００３１
【補正方法】変更
【補正の内容】
【００３１】
システム制御装置３４はフロントエンド３１、チャンネルデコーダ３３、ソースデコーダ３５及びデータデコーダ３６を制御する。


【手続補正１３】
【補正対象書類名】明細書
【補正対象項目名】００３４
【補正方法】変更
【補正の内容】
【００３４】
受信アンテナ１からの高周波受信信号は高周波増幅回路５で高周波増幅され、その増幅出力（以下ＲＦ信号と記す）は同軸ケーブル２を介してフロントエンド３１の第２の信号分離回路１２に供給される。この第２の信号分離回路１２で分離されたＲＦ信号はバンドパスフィルタ（ＢＰＦ）４５に供給されて、例えば１．４ＧＨｚ帯のＲＦ信号又は１７０〜２４０ＭＨｚ帯のＲＦ受信信号のうちの希望受信信号が濾波され、その出力信号が、可変利得増幅回路４６に供給されて増幅される。この可変利得増幅回路４６はＡＧＣ４７よりの利得制御信号によって利得が制御されると共に図１で説明した電圧加算回路２１にＡＧＣ電圧を供給する。


【手続補正１４】
【補正対象書類名】明細書
【補正対象項目名】００３５
【補正方法】変更
【補正の内容】
【００３５】
基準発振回路３２よりの１７．９２ＭＨｚの基準発振信号がＰＬＬ回路５３に供給される。ＰＬＬ回路５３よりの周波数制御信号はＶＣＯ（電圧制御発振回路）５１に供給される。このＰＬＬ回路５１は、システム制御装置３４から入力端子Ｔ１に供給される選局制御信号によって、その周波数制御信号が制御される。即ち、ＶＣＯ５１の局部発振周波数が選局周波数に応じて制御される。ＶＣＯ５１よりの局部発振信号が周波数変換回路４９に供給されて、ＢＰＦ４５から可変利得増幅回路４６を介して周波数変換回路４９に供給される１．４ＧＨｚ帯又は１７０〜２４０ＭＨｚ帯のＲＦ信号が、３８．９１２ＭＨｚ帯の第１のＩＦ信号に周波数変換される。